(57)【要約】      （修正有）【課題】パワーダウンされた回路構成をいつパワーアップすべきかを決定するために必要なモニタリング機能を実施する、使用する電力が非常に少ない回路構成を提供する。【解決手段】電子通信システムにおいて、ウェイクアップ回路構成３００は、入力信号に結合されかつその入力信号を第１の比較値と比較するように構成される第１の比較器３１２と、入力信号に結合されかつその入力信号を第２の比較値と比較するように構成される第２の比較器３１４を含む。ウェイクアップ回路構成はさらに、排他的なＯＲゲート３２０を含む。排他的なＯＲゲートの第１の入力は、第１の比較器の出力に結合され、第２の入力は、第２の比較器の出力に結合される。ウェイクアップ回路構成はまた、排他的なＯＲゲートの出力に結合され、かつ、モニタされている回路をウェイクアップするために排他的なＯＲゲートからの信号をＤＣ値に変換する、調整可能なチャージポンプ３３６を含む。【選択図】図３
2020102857.tif 000002
【特許請求の範囲】
【請求項１】
ウェイクアップ回路であって、
入力信号に結合され、前記入力信号を第１の比較値と比較するように構成される第１の比較器と、
前記入力信号に結合され、前記入力信号を第２の比較値と比較するように構成される第２の比較器と、
排他的なＯＲゲートと、前記排他的なＯＲゲートの第１の入力は前記第１の比較器の出力に結合され、前記排他的なＯＲゲートの第２の入力は、前記第２の比較器の出力に結合される、
前記排他的なＯＲゲートの出力に結合され、モニタされている回路をウェイクアップするために、前記排他的なＯＲゲートからの信号を直流（ＤＣ）値に変換するように構成される調整可能なチャージポンプと、
を備える、ウェイクアップ回路。
【請求項２】
前記ＤＣ値をデジタル電圧レベルに変換するように構成されるバッファをさらに備える、請求項１に記載のウェイクアップ回路。
【請求項３】
前記バッファがインバータを備える、請求項２に記載のウェイクアップ回路。
【請求項４】
ＤＣ較正のために前記入力信号を絶縁するように構成される入力スイッチをさらに備える、請求項１に記載のウェイクアップ回路。
【請求項５】
前記入力スイッチを前記入力信号に結合するＤＣブロックキャパシタをさらに備える、請求項４に記載のウェイクアップ回路。
【請求項６】
ＤＣセット回路をさらに備える、請求項５に記載のウェイクアップ回路。
【請求項７】
回路をウェイクアップするための方法であって、
第１の比較結果を生成するために、入力信号を第１の比較値と比較することと、
第２の比較結果を生成するために、前記入力信号を第２の比較値と比較することと、  信号を生成するために、前記第１の比較結果と前記第２の比較結果とを組み合わせることと、
前記信号を直流（ＤＣ）値に変換することと、
前記ＤＣ値に基づいて、前記回路をウェイクアップすることと、
を備える、方法。
【請求項８】
前記ＤＣ値をデジタル電圧レベルに変換するために、前記ＤＣ値をバッファすることをさらに備える、請求項７に記載の方法。
【請求項９】
インバータを使用して前記ＤＣ値をバッファすることをさらに備える、請求項８に記載の方法。
【請求項１０】
ＤＣ較正のために前記入力信号を絶縁するために前記入力信号を切り替えることをさらに備える、請求項７に記載の方法。
【請求項１１】
ＤＣフィルタされた入力信号を生成するために、前記入力信号をＤＣフィルタすることをさらに備える、請求項１０に記載の方法。
【請求項１２】
前記ＤＣフィルタされた入力信号をＤＣセットすることをさらに備える、請求項１１に記載の方法。
【請求項１３】
ウェイクアップ回路であって、
第１の比較結果を生成するために、入力信号を第１の比較値と比較するための手段と、  第２の比較結果を生成するために、前記入力信号を第２の比較値と比較するための手段と、
信号を生成するために、前記第１の比較結果と前記第２の比較結果とを組み合わせるための手段と、
前記信号を直流（ＤＣ）値に変換するための手段と、
前記ＤＣ値に基づいて、回路をウェイクアップするための手段と、
を備える、ウェイクアップ回路。
【請求項１４】
前記ＤＣ値をデジタル電圧レベルに変換するために、前記ＤＣ値をバッファするための手段をさらに備える、請求項１３に記載のウェイクアップ回路。
【請求項１５】
前記ＤＣ値をバッファするための前記手段がインバータを備える、請求項１４に記載のウェイクアップ回路。
【請求項１６】
ＤＣ較正のために前記入力信号を絶縁するために前記入力信号を切り替えるための手段をさらに備える、請求項１３に記載のウェイクアップ回路。
【請求項１７】
ＤＣフィルタされた入力信号を生成するために、前記入力信号をＤＣフィルタするための手段をさらに備える、請求項１６に記載のウェイクアップ回路。
【請求項１８】
前記ＤＣフィルタされた入力信号をＤＣセットするための手段をさらに備える、請求項１７に記載のウェイクアップ回路。
【請求項１９】
システム内のスレーブ回路をウェイクアップするための装置であって、
固定セットのケーブル接続のうちの少なくとも１つの接続を使用して、マスタ回路と前記スレーブ回路との間でリモートウェイクアップ信号を結合するように構成される結合器と、前記少なくとも１つの接続はさらに、前記マスタ回路と前記スレーブ回路との間で第２の信号を結合する、
前記スレーブ回路において、前記マスタ回路と前記スレーブ回路との間で結合された前記リモートウェイクアップ信号を検出するように構成される検出器と、
前記マスタ回路と前記スレーブ回路との間で結合された前記リモートウェイクアップ信号を検出することに基づいて、前記スレーブ回路においてローカルウェイクアップ信号を生成し、前記ローカルウェイクアップ信号を用いて前記スレーブ回路をウェイクアップするように構成されるウェイクアップ信号ジェネレータと、
を備える、装置。
【請求項２０】
前記第２の信号は、前記スレーブ回路がアウェイク(awake)状態であるときに、少なくともある時間の期間の間、前記マスタ回路と前記スレーブ回路との間で結合される、請求項１９に記載の装置。
【請求項２１】
前記検出器は、
第１の比較結果を生成するために、入力信号を第１の比較値と比較することと、
第２の比較結果を生成するために、前記入力信号を第２の比較値と比較することと、  信号を生成するために、前記第１の比較結果と前記第２の比較結果とを組み合わせることと、
を行うようにさらに構成される、請求項１９に記載の装置。
【請求項２２】
前記検出器がエネルギ検出器を備える、請求項１９に記載の装置。
【請求項２３】
前記リモートウェイクアップ信号が直流（ＤＣ）電圧を備える、請求項１９に記載の装置。
【請求項２４】
前記検出器が、直流（ＤＣ）電圧を検出するようにさらに構成される、請求項２３に記載の装置。
【請求項２５】
前記リモートウェイクアップ信号が無線周波数（ＲＦ）制御信号を備える、請求項１９に記載の装置。
【請求項２６】
前記リモートウェイクアップ信号が中間周波数（ＩＦ）信号を備える、請求項１９に記載の装置。
【請求項２７】
前記リモートウェイクアップ信号がローカル発振器（ＬＯ）信号を備える、請求項１９に記載の装置。
【請求項２８】
無線周波数（ＲＦ）制御信号、中間周波数（ＩＦ）信号、またはローカル発振器（ＬＯ）信号から前記リモートウェイクアップ信号を選択するように構成される選択コンポーネントをさらに備える、請求項１９に記載の装置。
【請求項２９】
前記ＲＦ制御信号がデジタルビットシーケンスを備える、請求項２８に記載の装置。
【請求項３０】
前記リモートウェイクアップ信号をフィルタするように構成されるフィルタをさらに備える、請求項２９に記載の装置。
【発明の詳細な説明】
【技術分野】
【０００１】
［関連出願の相互参照］
[0001]  本出願は、「Wake-up Detector for Radio Module」と題されて２０１６年１月１４日に出願された米国仮出願第６２／２７８，８９９号、「Wake-up Detector」と題されて２０１６年２月３日に出願された米国仮出願第６２／２９０，８８０号、および「Wake-up Detector」と題されて２０１６年４月２７日に出願された米国特許出願第１５／１３９，７５６号の利益を主張し、それらは参照によって全体がここに明示的に組み込まれる。
［技術分野］
[0002]  本開示は、一般に、通信システムに関し、より具体的には、低電力モードからウェイクアップするための、無線モジュールまたは他の電子モジュールについての回路構成（circuitry）に関する。
【背景技術】
【０００２】
[0003]  一部のケースでは、回路構成が使用されていないときは、その回路構成をパワーダウンすることが有益（advantageous）であり得る。回路構成が使用されていないときにその回路構成をパワーダウンすることは、バッテリ電力を節約（conserve）し得る。いくつかの例では、バッテリ電力を節約することで、バッテリ寿命がより長くなり得る。他の例では、バッテリ電力を節約することで、デバイスが、必要なバッテリ寿命を提供しつつもより小さいバッテリを使用することが、可能になり得る。
【０００３】
[0004]  使用されていないときに回路構成をパワーダウンことは有益であり得るが、パワーダウンされた回路構成をいつパワーアップすべきかを決定するために必要である回路構成のモニタリングは、一般に、電力を消費し続けることになる。したがって、モニタリング機能を実施するために使用する電力が非常に少ないモニタリング回路構成を使用することが、有益であり得る。低電力のモニタリング回路構成を使用することによって、および使用されていない回路構成をパワーダウンすることによって、バッテリ電力が節約され得る。
【発明の概要】
【０００４】
[0005]  以下は、１つまたは複数の態様の基本的な理解を提供するために、そのような態様の簡略化された概要を提示する。この概要は、すべての考慮された態様の広範な概観ではなく、そして、すべての態様の主要または重要な要素を特定するようにも、任意のまたはすべての態様の範囲を詳細に叙述するようにも、意図されていない。その唯一の目的は、後に提示されるより詳細な説明への前置きとして、簡略化された形式で、１つまたは複数の態様のうちのいくつかの概念を提示することである。
【０００５】
[0006]  上述したように、一部のケースでは、バッテリ電力を節約するために、回路構成が使用されていないときにその回路構成をパワーダウンすることは有益であり得る。いくつかの例では、バッテリ電力を節約することで、バッテリ寿命がより長くなり得る、または、デバイスが、必要なバッテリ寿命を提供しつつもより小さいバッテリを使用することが可能になり得る。上述したように、使用されていないときに回路構成をパワーダウンことは有益であり得るが、パワーダウンされた回路構成をいつパワーアップすべきかを決定するために必要である、回路構成のモニタリングは、一般に、電力を消費し続けることになる。したがって、モニタリング機能を実施するために使用する電力が非常に少ないモニタリング回路構成を使用することが、有益であり得る。
【０００６】
[0007]  本開示の一態様では、方法および装置が提供される。装置は、入力信号に結合されてその入力信号を第１の比較値と比較するように構成される第１の比較器を含む、ウェイクアップ回路である。ウェイクアップ回路は、入力信号に結合されてその入力信号を第２の比較値と比較するように構成される第２の比較器を含む。ウェイクアップ回路はさらに、排他的なＯＲゲート（an exclusive OR gate）を含む。排他的なＯＲゲートの第１の入力は、第１の比較器の出力に結合される。排他的なＯＲゲートの第２の入力は、第２の比較器の出力に結合される。ウェイクアップ回路はまた、排他的なＯＲゲートの出力に結合されかつモニタされている回路をウェイクアップするために排他的なＯＲゲートからの信号を直流（ＤＣ）値に変換するように構成される、調整可能なチャージポンプ（a tunable charge pump）を含む。
【０００７】
[0008]  前述の目的および関連する目的を達成するために、１つまたは複数の態様が、以下に十分に説明され、かつ特許請求の範囲において具体的に示される特徴を備える。以下の説明および添付の図面は、１つまたは複数の態様のある特定の例示的な特徴を詳細に記載する。しかしながら、これらの特徴は、様々な態様の原理が用いられ得る様々な方法のうちのほんのいくつかを示しているのであって、本説明は、すべてのそのような態様およびそれらの同等物を含むように意図されている。
【図面の簡単な説明】
【０００８】
【図１】[0009]  図１は、例示的な電子通信システムを例示する図である。
【図２】[0010]  図２は、コアモジュールと無線モジュールとの間のシングルケーブルインタフェース（a single cable interface）上で使用され得る信号を例示する一組の図である。
【図３】[0011]  図３は、ここに説明されるシステムおよび方法によるウェイクアップ回路構成の例を例示する図である。
【図４】[0012]  図４は、ここに説明されるシステムおよび方法によるウェイクアップ回路構成の例を例示する図である。
【図５】[0013]  図５は、ここに説明されるシステムおよび方法によるウェイクアップ回路構成の例を例示する図である。
【図６】[0014]  図６は、ここに説明されるシステムおよび方法によるウェイクアップ回路構成の例を例示する図である。
【図７】[0015]  図７は、図６の図と併せて使用され得る様々な電圧信号を例示する図である。
【図８】[0016]  図８は、図３のウェイクアップ回路中で使用され得る設定可能な（configurable）チャージポンプの例を例示する図である。
【図９】[0017]  図９は、ここに説明されるシステムおよび方法による例示的な方法を例示するフローチャートである。
【図１０】[0018]  図１０は、ここに説明されるシステムおよび方法による別の例示的な方法を例示するフローチャートである。
【図１１】[0019]  図１１は、ここに説明されるシステムおよび方法による別の例示的な方法を例示するフローチャートである。
【詳細な説明】
【０００９】
[0020]  添付図面に関連して以下に記載される詳細な説明は、様々な構成の説明として意図されており、ここに説明される概念が実施され得るのはこれらの構成においてのみであることを表すようには意図されていない。詳細な説明は、様々な概念の徹底的な理解を提供することを目的として特定の詳細を含む。しかしながら、これらの概念がこれらの特定の詳細なしに実施され得ることは、当業者に明らかであろう。いくつかの事例（instances）では、そのような概念をあいまいにすることを避けるために、周知の構造およびコンポーネントは、ブロック図の形式で示される。
【００１０】
[0021]  図１は、例示的な電子通信システム１００を例示する図である。例示的な電子通信システム１００は、コアモジュール１０２、無線モジュール１０４、およびシングルケーブルインタフェース１０６を含む。コアモジュール１０２は、特定用途向け集積回路（ＡＳＩＣ）であり得る。ＡＳＩＣの１つの例は、例えばモバイル電話ハンドセットまたは他の電子デバイスに組み込まれ得る、１つまたは複数の中央処理装置（ＣＰＵ）あるいは他の機能性を含み得る、回路構成である。例えば、コアモジュール１０２は、モバイル局モデム（ＭＳＭ）であり得る。電子通信システム１００のような通信システムでは、コアモジュール１０２は、マスタ回路／スレーブ回路の構成（a master circuit/slave circuit configuration）におけるマスタ回路であり得る。同様に、無線モジュール１０４は、マスタ回路／スレーブ回路の構成におけるスレーブ回路であり得る。
【００１１】
[0022]  無線モジュール１０４は、１つまたは複数のトランシーバ、１つまたは複数の送信機、または１つまたは複数の受信機を含み得る。したがって、無線モジュール１０４は、無線信号を送信し得る、無線信号を受信し得る、または無線信号を送信することと無線信号を受信することとの組合せを提供し得る。例えば、無線モジュール１０４は、モバイル電話ハンドセットまたは他の電子通信デバイスにトランシーバの機能性を提供し得る。無線モジュール１０４は、音声通信、インターネットプロトコル（ＩＰ）データ送信、または他の電磁気通信に関連する電子信号を送信および受信し得る。
【００１２】
[0023]  いくつかの例では、コアモジュール１０２は、無線モジュール１０４を制御し得る。したがって、コアモジュール１０２と無線モジュール１０４とは接続されている可能性がある。図１の例示された例では、コアモジュール１０２と無線モジュール１０４とは、シングルケーブルインタフェース１０６を使用して接続される。したがって、コアモジュール１０２は、シングルケーブルインタフェース１０６を通じて無線モジュール１０４を制御し得る。シングルケーブルインタフェース１０６は、固定セットのケーブル接続（the fixed set of cable connections）のうちの少なくとも１つの接続を使用して、マスタ回路とスレーブ回路との間でリモートウェイクアップ信号を結合するように構成される、結合器の機能を果たし得る。少なくとも１つの接続はさらに、マスタ回路とスレーブ回路との間で第２の信号を結合し得る。
【００１３】
[0024]  いくつかの例では、シングルケーブルインタフェース１０６は、シングルワイヤ接続、シングル光ファイバ接続、または別のシングル信号接続のようなシングル接続であり得る。様々な信号は、シングルケーブル接続、例えばシングルワイヤ接続上で、多重化され得る。他の例では、シングルケーブルインタフェース１０６は、複数の接続を含むシングルケーブルであり得る。（言い換えれば、ここに説明されるシステムおよび方法は一般に、シングルワイヤ接続を使用するシステムに適用され得るが、これらのシステムおよび方法はまた、例えば、シングルケーブルにおける固定の複数の接続（a fixed plurality of connections）中の１つまたは複数の個々の接続に適用され得る。）シングルケーブルインタフェース１０６は、コアモジュール１０２と無線モジュール１０４との間の、複数のワイヤ接続、複数の光ファイバ接続、複数の他の信号接続、あるいは、複数のワイヤ接続、複数の光ファイバ接続、または複数の他の信号接続の何らかの組合せ、を含み得る。しかしながら、シングルケーブルインタフェース１０６は、固定（fixed）であり得る。言い換えれば、シングルケーブルインタフェース１０６には固定数の接続（a fixed number of connections）が存在し得、シングルケーブルインタフェース１０６に追加的な接続を追加することは可能でない可能性がある。しかしながら、シングルケーブルインタフェース１０６を通して追加的な機能性を提供することが必要であり得る。
【００１４】
[0025]  いくつかの例では、電力（electrical power）は、１つのバッテリまたは複数のバッテリによって提供され得る。したがって、電力（electrical power）は、例えばバッテリのサイズによって制限され得る。電力（electrical power）が制限され得るので、電力（electrical power）、例えばバッテリ電力、を節約することが望ましい可能性がある。いくつかの例では、電力（electrical power）を節約するために、無線モジュール１０４はオフにされ得る。無線モジュール１０４をオフにすることは、バッテリ電力を節約し得、それはバッテリの再充電と再充電との間の期間をより長くすることを可能にし得る。無線モジュール１０４をオフにすることはまた、より小さいバッテリの使用を可能にし得、それは重量を減らし得る。さらに、いくつかの例では、無線モジュール１０４をオフにすることは、バッテリの再充電と再充電との間の期間をより長くすることと、より小さいバッテリの使用との、何らかの組合せを提供し得る。
【００１５】
[0026]  シングルケーブルインタフェース１０６が固定であるシステムにおいては、無線モジュール１０４をオンにすることおよびオフにすることに関連するコアモジュール１０２からの信号が、固定であるシングルケーブルインタフェース１０６を通じて接続され得るように、追加的な回路構成が必要とされ得る。結果的に、固定であるシングルケーブルインタフェース１０６は、コアモジュール１０２が無線モジュール１０４をオンにすることおよびオフにすることを制御することを可能にし得る。追加的な回路構成は、ウェイクアップ回路１０８であり得る。コアモジュール１０２からの信号が、無線モジュール１０４、例えば無線モジュールにおける無線コンポーネント１１０、をオンにおよびオフにするために使用され得るように、ウェイクアップ回路１０８が必要とされ得る。いくつかの例では、ここに説明されるシステムおよび方法は、ローカルウェイクアップ信号を生成するために、シングルケーブルインタフェースを通過して送信される、例えばローカル発振器（ＬＯ）信号、中間周波数（ＩＦ）信号、無線周波数（ＲＦ）制御信号、またはＤＣ信号等の動作信号（operational signals）を使用し得る。他の例では、ここに説明されるシステムおよび方法は、ローカルウェイクアップ信号を生成するために、シングルケーブルインタフェースを通過して送信される専用のリモートウェイクアップ信号を使用し得る。いずれのセットの例においても、動作信号とウェイクアップ信号のために同じシングルケーブルインタフェースが使用され得る（１つのセットの例において両方に動作信号が使用される状態で）。
【００１６】
[0027]  一例では、無線モジュール１０４は、６０ＧＨｚの無線モジュールであり得る。無線モジュール１０４は、コアモジュール１０２から離れて位置し得、例えば、無線モジュール１０４をオンにおよびオフにするためにシングルケーブルインタフェース１０６を通じて送られる信号等のリンクトランザクションに従って、オンにおよびオフにされ得る。電力の観点からは、無線モジュール１０４が送信または受信していない期間のようなアイドル期間の間は、消費する電力を可能な限り少なくすることが魅力的であり得る。ここに説明されるいくつかの例示的な実施形態は、無線モジュール（または他の電子回路構成）の、ほぼ完全なパワーダウンを可能にする。一般に、パワーアップされる必要がある、無線モジュール１０４中の唯一の回路構成は、トリガされたときにウェイクアップフローを開始する低電力スケルチ検出器モジュール（a low-power squelch detector module）であり得る。一例では、低周波数クロックが使用され得る。低周波数クロックは、例示的なシステムにおいて回路構成を同期するための信号を提供し得る。いくつかの例では、低周波数クロックは、無線モジュールがいつスリープし得るか、および無線モジュールがいつウェイクアップするべきかを示すために、オフにおよびオンにされ得る。（クロック信号の存在は、ここに説明されるシステムおよび方法を使用して決定され得る。）さらに、低周波数クロックは、いくつかの例では低速クロックを含む電源モジュールによって提供され得る。さらに、クロックの周波数は低い可能性があるので、低周波数クロックを利用している回路構成に電力供給するために必要である電力のさらなる減少が可能性であり得る、なぜなら、一般に、より遅くクロックされる回路構成は、より速くクロックされる同様の回路構成と比較したとき、より少ない電力を使用し得るからである。
【００１７】
[0028]  トリガメカニズム（triggering mechanism）は、例えば、例えば無線モジュール１０４における無線チップとコアチップと間のコアモジュール１０２内の既存のコントローラを利用し得る。さらに、トリガメカニズムは、単に特定のコントローラトランザクションをコアチップから無線モジュール１０４に渡すことによってアクティベートされ得る。
【００１８】
[0029]  無線モジュール１０４は、シングルケーブルインタフェース１０６を通してそれの電圧源を得る可能性がある。シングルケーブルインタフェースは、データおよび制御信号がコアモジュール１０２から無線モジュール１０４に渡されるケーブル（the cable on which the data and control signals are delivered）であり得る。アイドル期間の間電力を節約（save）するために、システムは、無線モジュール１０４への無線電源をオフに切り替え得る。無線電源をオフに切り替えることは電力の節約を提供し得るが、無線電源をオフに切り替えることは、コア側に電源スイッチ（a supply switch）を必要とし得、それは回路カード上のエリアを必要とし、それはまたＢＯＭ（the bill-of-materials）上のアイテムの数を増加させる。回路カード上のエリアの増加とパーツ数の増加は、コストを増加させ得る。別のオプションは、無線モジュール１０４内の無線回路構成をオフにすることである。無線回路構成をオフにすることは、ウェイクアップ要求に応答するために、ウェイクアップ回路をスタンバイモードに保つことを必要とし得る。
【００１９】
[0030]  ここに説明されるいくつかの例は、例えば無線モジュール１０４上の、例えば無線回路構成の、完全なパワーダウンを可能にする。いくつかの例はまた、無線モジュール１０４のシングルケーブルインタフェース１０６を検知（sensing）し続ける低電力回路をインプリメントし得る。極低電力回路（very low-power circuit）は、通信システムの既存のインタフェースにおいてＲＦコントローラによってトリガされるときに、ウェイクアップシーケンスを開始し得る。いくつかの例では、ＲＦ制御信号は、１２５ＭＨｚのデジタルビットシーケンスのようなデジタルビットシーケンスであり得る。他の例では、他の周波数を有する他のデジタルビットシーケンスが使用され得る。
【００２０】
[0031]  いくつかの例では、無線モジュールは、ここに説明されるような専用のウェイクアップ検出回路を含み得る。パワーダウンの間は、一般に、専用の検出器とモジュールＤＣ／ＤＣ電力コンバータとを除くすべての回路構成がオフにされ得る。
【００２１】
[0032]  一例では、コアモジュール１０２は、例えばシングルケーブルインタフェース１０６上へと、無線モジュール１０４へ向けてＬＯ信号を駆動する。コアモジュール１０２は、例えばＬＯ信号を生成してデバイスの動作を同期するために、ウェイクアップシーケンスの一部として安定したクロックを必要とし得る。
【００２２】
[0033]  いくつかの例では、コアモジュール１０２または他の回路構成は、ウェイクアップの前に、ＬＯ信号を分割および安定化させ得る。ＬＯ信号は、フィルタリングを使用することによって、および検出器のヒステリシス（hysteresis）を使用することによって、ウェイクアップの前に分割および安定化され得る。一例では、コアモジュール１０２は、ＲＦコントローラをイネーブルすることによって、１２５ＭＨｚのクロックを駆動することを開始し得る。
【００２３】
[0034]  一例では、無線モジュール１０４は、ＲＦコントローラトランザクションを識別し得、そしてウェイクアップ信号をアサートする。ウェイクアップ信号が検出されるとき、ウェイクアップシーケンスが始まり得る。
【００２４】
[0035]  一例では、既存のＲＦコントローラ、例えばコアモジュール１０２は、両方の端部に５０Ωの終端を含み得るシングルケーブルインタフェース１０６等の５０Ωの同軸インタフェース（a 50Ω coaxial interface）を通して、無線モジュール１０４に接続され得る。５０Ωの終端を切断することは、比較器３１２、３１４（図３参照）への入力における高いゲートキャパシタンスに起因する非常に高いインピーダンスをもたらし得る。ウェイクアップ検出の目的で、高いインピーダンス負荷を維持することは有益（useful）であり得る。高いインピーダンス負荷は、検出器の入力における振幅を増加させ得る。一例では、コントローラの振幅は、整合された負荷で最大〜３００ｍＶ（~300 mV peak on a matched load）であり得る。より高いインピーダンス負荷は、一例では、最も多くて負荷における振幅の倍増、例えば〜６００ｍＶ、をもたらし得る。
【００２５】
[0036]  図２は、コアモジュール１０２と無線モジュール１０４との間のシングルケーブルインタフェース１０６上で使用され得る信号を例示する一組の図２００である。一組の図２００は、周波数図２０２を含む。周波数図２０２に例示されるように、一例では、信号は、ＤＣ信号（例えば、ＤＣ電圧）、例えば１２５ＭＨｚの周波数を中心とした制御信号、例えば７．５ＧＨｚを中心としたＬＯ、および、例えば１３．７ＧＨｚと１７．１ＧＨｚとの間のＩＦ信号を含み得る。
【００２６】
[0037]  周波数図２０２上に例示される信号は、シングルケーブルインタフェース１０６上で伝えられ得る。周波数図２０２上に例示されるそれら信号のうちの１つまたは複数は、無線モジュール１０４が無線周波数信号を送信および／または受信しているとき、信号の主要な機能に加えて、無線モジュール１０４におけるパワーアップシーケンスを制御するために使用され得る。例えば、周波数図２０２上に例示されるＤＣ信号は、コアモジュール１０２から無線モジュール１０４に電力を提供し得る。しかしながら、一例では、ＤＣ信号はまた、無線モジュール１０４におけるパワーアップシーケンスを制御するために使用され得る。他の例では、ＬＯまたはＩＦ周波数範囲における信号は、無線モジュールが無線周波数信号を送信および／または受信しているとき、ＬＯまたはＩＦ信号を提供するために使用され得る。さらに、ＬＯまたはＩＦ周波数範囲における信号はまた、無線モジュール１０４のパワーアップシーケンスを制御するために使用され得る。
【００２７】
[0038]  別の例では、制御信号は、主として、無線モジュール１０４が無線周波数信号を送信および／または受信しているとき、無線モジュール１０４を制御するために使用され得る。制御信号はまた、上述したように固定であり得るシングルケーブルインタフェース１０６においてコアモジュール１０２と無線モジュール１０４との間の追加的な接続を追加することなく、無線モジュール１０４におけるパワーアップシーケンスを制御するために使用され得る。例えば、図２に例示されるように、１２５ＭＨｚのパルス列（pulse train）が、無線モジュール１０４がパワーアップするべきであることを示すために、シングルケーブルインタフェース１０６を通じて送信され得る。
【００２８】
[0039]  図３は、ここに説明されるシステムおよび方法によるウェイクアップ回路構成３００の例を例示する図である。ウェイクアップ回路構成３００は、図１に関して説明された無線モジュール１０４内に存在し得る。ウェイクアップ回路構成３００の図は、ＬＯ３０２、ＩＦジェネレータ３０４、およびＲＦコントローラ３０６のようなＲＦ回路構成を含む。ＬＯ３０２は、例えば、７．５ＧＨｚのＬＯ信号を生成する。ＩＦジェネレータ３０４は、例えば１３．７ＧＨｚと１７．１ＧＨｚとの間のＩＦ信号を生成する。ＲＦコントローラ３０６は、無線モジュール１０４がＲＦ信号を送信および／または受信しているとき、図１の無線モジュール１０４を制御し得る、ローカル制御信号を生成する。ＬＯ３０２、ＩＦジェネレータ３０４、およびＲＦコントローラ３０６は、ケーブルマルチプレクサ（ケーブルｍｕｘ）３０８に接続される。ケーブルマルチプレクサ３０８は、シングルケーブルインタフェース１０６を通じて図１のコアモジュール１０２から信号を受け取り得る。さらに、ケーブルマルチプレクサ３０８は、ケーブルマルチプレクサ３０８の出力からの、ＬＯ３０２、ＩＦジェネレータ３０４、およびＲＦコントローラ３０６のための信号を、多重化するために使用され得る。ケーブルマルチプレクサ３０８は、図１のシングルケーブルインタフェース１０６上の接続部（a connection）に結合され得る。
【００２９】
[0040]  図３の例示された例では、ＲＦコントローラ３０６の入力は、回路構成３１０に結合される。回路構成３１０は、図１の無線モジュール１０４をウェイクアップするための信号を生成するために使用され得る。無線モジュール１０４は、電力（electrical power）、例えばバッテリ電力、を節約するためにパワーダウンされ得るか、または部分的にパワーダウンされ得る。したがって、無線モジュールは、無線モジュール１０４が１つのＲＦ信号または複数のＲＦ信号を送信または受信することが必要であるとき、パワーアップされることを必要とし得る。
【００３０】
[0041]  図３の例示された例における回路構成３１０は、２つの比較器３１２、３１４、２つの設定可能な基準３１６、３１８、および排他的なＯＲゲート３２０を含む。（シングルケーブルインタフェース１０６によって接続された）コアモジュール１０２からの信号は、入力スイッチ３２２と、ＤＣブロックキャパシタ３２４と、一対の抵抗器Ｒ１、Ｒ２を含むＤＣセット３２６とを通して、比較器３１２、３１４に結合され得る。
【００３１】
[0042]  入力スイッチ３２２は、比較器３１２、３１４からＲＦコントローラ信号を切断するおよび接続するために使用され得る。入力スイッチ３２２は、クワイエットなＤＣ較正（quiet DC calibration）のための入力絶縁を可能にする。ＤＣブロックキャパシタ３２４は、ＲＦコントローラ信号上のいかなるＤＣ値もブロックするためにＲＦコントローラ信号をフィルタするために、使用され得る。ＤＣセット３２６は、抵抗分割器（resistor divider）である。ＤＣセット３２６は、分圧器の機能を果たす２つの抵抗器Ｒ１、Ｒ２を含む。ＤＣセット３２６は、例えば、ＤＣブロックキャパシタ３２４の後の、フィルタされたＲＦ制御信号に、特定のＤＣ値を重畳（superimpose）するために使用され得る。ＤＣセット３２６によって重畳された特定のＤＣ値は、２つの抵抗値Ｒ１、Ｒ２の関数である。図３の例示された例におけるＤＣ値は、
【００３２】
ＶＤＣ＝Ｒ２／（Ｒ１＋Ｒ２）
に等しい。
【００３３】
[0043]  図３の例に例示されるように、ＲＦコントローラ３０６は、接地を中心とした方形波３２８を出力し得る。言い換えれば、例示された例においてＲＦコントローラ３０６から出力される方形波３２８は、ゼロボルトを中心とした負の電圧と正の電圧との間の電圧スウィング（swing）を有し得る。負の電圧の振幅と正の電圧の振幅は、等しいまたはおおよそ等しい可能性がある。ＤＣブロックキャパシタ３２４は、結果的に３４８における信号をもたらす方形波３２８等の信号から、いかなるＤＣ値も取り除き得るまたは減らし得る。ＤＣセット３２６は、信号、例えば方形波３３０が、例えばＶＤＤのような正の電圧と、接地電圧、例えば０ボルト、との間でスウィングするように、ＤＣブロックキャパシタによるフィルタリングの後に信号を調整（adjust）するために、使用され得る。
【００３４】
[0044]  比較器３１２は、入力信号を設定可能な基準３１６と比較し得る。例えば、設定可能な基準３１６の出力は、比較器３１２の入力に結合され得る。より具体的には、図３の例示された例では、設定可能な基準３１６の出力は、比較器３１２の負側入力に結合される。入力信号の電圧が設定可能な基準３１６の出力電圧より高いとき、比較器３１２の出力３５０はｈｉｇｈとなることになる。比較器３１２、３１４は、ウェイクアップ回路３００の動作の間、ヒステリシスを提供し得る。いくつかの例では、ヒステリシスは、比較器３１２、３１４の出力における誤判定結果の発生率（the incidence of false positive results）を減少させ得る。
【００３５】
[0045]  図３に例示されるように、各比較器３１２、３１４は、設定可能な基準３１６、３１８を有する。これらの設定可能な基準３１６、３１８は、２つの目的を果たし得る。第１に、設定可能な基準３１６、３１８は、比較器オフセットを設定するために使用され得る。比較器３１２、３１４への入力を短絡（shorting）させて、常に「０」出力レベルを達成する最小値に基準を設定することによって、最小許容基準（minimum allowed reference）が決定され得る。第２に、設定可能な基準３１６、３１８は、検出しきい値を決定するために使用され得る。例えば異なる供給源（source supplies）、ケーブル長、および／またはノイズ等の異なる環境では、異なる基準が使用され得る。したがって、異なる基準は、異なる供給源、ケーブル長、およびノイズに起因する異なる振幅を、図３の回路が補償することを可能にし得る。
【００３６】
[0046]  同様に、比較器３１４は、入力信号を設定可能な基準３１８と比較し得る。例えば、設定可能な基準３１８の出力は、比較器３１４の入力に結合され得る。より具体的には、図３の例示された例では、設定可能な基準３１８の出力は、比較器３１４の正側入力に結合される。入力信号の電圧が設定可能な基準３１８の出力電圧より低いとき、比較器３１４の出力はｈｉｇｈとなることになる。
【００３７】
[0047]  比較器３１２、３１４の出力３５０、３５２は、排他的なＯＲゲート３２０を使用して組み合わせられ得る。排他的なＯＲゲート３２０は、排他的なＯＲゲート３２０への入力のうちの唯一１つのみが真であるとき、「真の」出力（「１」／「ｈｉｇｈ」）を有する。したがって、比較器３１２、３１４のうちのいずれかがｈｉｇｈの出力を有するが、比較器３１２、３１４の両方がｈｉｇｈの出力を有するのではないとき、排他的なＯＲゲート３２０の出力はｈｉｇｈである。したがって、排他的なＯＲゲート３２０は、「相互排他的な」連続する比較（successive comparisons）を組み合わせて単一の信号、例えばパルス列にするために使用され得る。排他的なＯＲゲート３２０の出力は、比較器３１２、３１４の両方がｌｏｗの出力３５０、３５２を有するとき、および比較器３１２、３１４の両方がｈｉｇｈの出力を有するときには、ｌｏｗである。
【００３８】
[0048]  一例では、比較器３１２、３１４におけるヒステリシスが、ノイズ耐性（noise immunity）およびミスマッチ修正（mismatch correction）のために使用され得る。さらに、設定可能な基準３１６、３１８を調整（tuning）することは、信号が受け取られるときとローカルターンオン信号が生成されるときとの間の変換の速度のいくらかの制御を可能にし得る、なぜなら、設定可能な基準３１６、３１８を変更することによって生じる、方形波３２８と比較されることになる電圧の変化は、切り替え（switching）がいつ発生するかに影響し得るからである。（より早く切り替えることは、より速い変換速度を可能にし得る。）
[0049]  方形波３２８（フィルタリングおよびＤＣレベリングセットの後の）は、比較器３１２、３１４によってそれぞれ設定可能な基準３１６、３１８と比較され得る。比較器３１２は、方形波３３２を出力する。比較器３１４は、方形波３３４を出力する。方形波３３２と方形波３３４とが排他的なＯＲゲート３２０において組み合わせられるとき、波形３５４が生じる。図３に例示されるように、方形波３３２および方形波３３４は、波形３４６が大部分の時間はｈｉｇｈ値であり、例えば一般に方形波３３２、３３４がスイッチング（switching）しているとき等のごく短い間だけｌｏｗ値であるように、互いに位相が不一致（out of phase）であり得る。設定可能なチャージポンプ３３６は、一対の電流源３３８、３４０を含む。したがって、設定可能なチャージポンプ３３６は、波形３５４をＤＣ値に変換するために使用され得る電流を提供し得る。充電および放電の変動が、一般に、依然として信号に存在し得るが、キャパシタ３４２によってフィルタ除去され得る。キャパシタ３４２は、波形３４６へのいずれの高周波成分もフィルタ除去し得る。したがって、波形３４６を設定可能なチャージポンプ３３６およびキャパシタ３４２に結合することは、波形３４６をもたらし得る。
【００３９】
[0050]  比較器３１２、３１４、設定可能な基準３１６、３１８、排他的なＯＲゲート３２０、チャージポンプ３３６、キャパシタ３４２、またはインバータ３４４を含む１つまたは複数のコンポーネントは、マスタ回路とスレーブ回路との間で結合されたリモートウェイクアップ信号を検出することに基づいて、スレーブ回路においてローカルウェイクアップ信号を生成し、ローカルウェイクアップ信号を用いてスレーブ回路をウェイクアップするように構成されるウェイクアップ信号ジェネレータの機能を果たし得る。一般に、ウェイクアップ信号ジェネレータは、ローカルウェイクアップ信号を生成するために、これらのコンポーネントのうちのいくつかを含み得る。
【００４０】
[0051]  例えば波形３５４によって表される排他的なＯＲゲート３２０の出力は、設定可能なチャージポンプ３３６を制御し得る。一例では、比較器３１２、３１４の両方の出力は、最初は両方ともｌｏｗであり得る。したがって、排他的なＯＲゲート３２０への入力は両方ｌｏｗであり得、排他的なＯＲゲート３２０の出力は最初はｌｏｗであり得る。排他的なＯＲゲート３２０の出力がｌｏｗであるとき、チャージポンプ中の電流源３３８は、キャパシタ３４２に電流を駆動し得る。したがって、キャパシタ３４２は、電流源３３８からの電流によって充電され得る。
【００４１】
[0052]  入力信号が検出されるとき、比較器３１２への入力は、比較器３１２についての正のしきい値を上回ってトグルし始め得る（begin to toggle above the positive thresholds）。同様に、入力信号が検出されるとき、比較器３１４への入力は、比較器３１４についての負のしきい値を下回ってトグルし始め得る（begin to toggle below the negative thresholds）。したがって、比較器３１２、３１４への出力がトグルし始め、排他的なＯＲゲート３２０の出力がその結果としてトグルする。
【００４２】
[0053]  一般に、排他的なＯＲゲート３２０の出力は、波形３５４によって例示されるように、排他的なＯＲゲート３２０の出力がトグルしているとき、それがｌｏｗである時間よりも長い間ｈｉｇｈであり得る。排他的なＯＲゲート３２０の出力がｈｉｇｈであるとき、電流源３３８はオフである。すると設定可能なチャージポンプ３３６中の電流源３４０は、以下で説明するようにキャパシタ３４２を放電し得る。電流源３４０がキャパシタ３４２を放電するとき、チャージポンプ３３６の出力電圧は減少し得る。
【００４３】
[0054]  キャパシタ３４２が設定可能なチャージポンプ３３６の電流源３４０を通して放電されるとき、波形３４６の電圧は、ｌｏｗの入力値（例えば、接地とＶＤＤとの間の点線を下回る）へと下がる。したがって、インバータ３４４への入力は、有効ｌｏｗ入力であり得、インバータ３４４の出力（一般にインバータ３４４を通したいくらかの遅延の後の）は、波形３４７によって例示されるように、論理ｌｏｗ値から論理ｈｉｇｈ値へと上昇し得る。インバータ３４４は、設定可能なチャージポンプの出力を有効なデジタルレベルに変換し得る。別の例では、出力バッファはインバータであり得る。
【００４４】
[0055]  図４は、ここに説明されるシステムおよび方法によるウェイクアップ回路構成４００の例を例示する図である。ウェイクアップ回路構成４００は、図１に関して説明された無線モジュール１０４内に存在し得る。図４の図は、ＲＦ回路構成を含み、そのうちの一部は、例えばＬＯ３０２、ＩＦジェネレータ３０４、およびＲＦコントローラ３０６のように図３にも例示されている。図３に関して上述したように、ＬＯ３０２はＬＯ信号を生成し、ＩＦジェネレータ３０４はＩＦ信号を生成し、ＲＦコントローラ３０６は制御信号を生成する。ＬＯ３０２、ＩＦジェネレータ３０４、およびＲＦコントローラ３０６は、ケーブルマルチプレクサ３０８に接続される。ケーブルマルチプレクサ３０８は、シングルケーブルインタフェース１０６を通じて図１のコアモジュール１０２から信号を受け取り得る。さらに、ケーブルマルチプレクサ３０８は、ケーブルマルチプレクサ３０８の出力からの、ＬＯ３０２、ＩＦジェネレータ３０４、およびＲＦコントローラ３０６のための信号を、多重化するために使用され得る。図４の例示された例では、ＬＯ３０２の入力は、図１の無線モジュール１０４をウェイクアップするための信号を生成するために使用され得る回路構成に結合される。ＬＯ３０２の入力は、シングルケーブルインタフェース１０６を通じてコアモジュール１０２に結合され得る。コアモジュール１０２は、入力スイッチ４０６を通してエネルギ検出器４０６に結合され得る。別の例では、例えばＬＯ３０２の入力の代わりに、ＩＦ３０４の入力が、回路構成に結合される。ＩＦジェネレータ３０４の入力は、シングルケーブルインタフェース１０６を通じてコアモジュール１０２に結合され得る。コアモジュール１０２は、入力スイッチ４０８を通してエネルギ検出器に結合され得る。図４の例示された例における回路構成は、エネルギ検出器４０２を含む。エネルギ検出器４０２は、コアモジュール１０２からのＬＯ３０２へのＬＯ信号入力からのエネルギを検出し得る。別の例では、エネルギ検出器４０２は、コアモジュールからのＩＦジェネレータ３０４へのＩＦ信号入力からのエネルギを検出し得る。エネルギ検出器４０２によって決定される、ＩＦ信号またはＬＯ信号からのエネルギの存在は、無線モジュール１０４がウェイクアップするべきであることのインジケーションを提供し得る。エネルギ検出器４０２の出力は、キャパシタ３４２によってフィルタされ得、インバータ４０４によってバッファされ得る。インバータ４０４は、いくらかの量のヒステリシスを提供し得る。ヒステリシスは、現在および過去の入力への、システムの出力の時間ベースの依存である。ヒステリシスは、望まれない急なスイッチング（unwanted rapid switching）を防ぐために電子回路内で使用され得る。したがって、インバータ４０４におけるヒステリシスは、エネルギ検出器４０２からの誤判定を防ぐのに役立ち得る。
【００４５】
[0056]  エネルギ検出器４０２、キャパシタ３４２、またはキャパシタ４０４を含む１つまたは複数のコンポーネントは、マスタ回路とスレーブ回路との間で結合されたリモートウェイクアップ信号を検出することに基づいて、スレーブ回路においてローカルウェイクアップ信号を生成し、ローカルウェイクアップ信号を用いてスレーブ回路をウェイクアップするように構成されるウェイクアップ信号ジェネレータの機能を果たし得る。一般に、ウェイクアップ信号ジェネレータは、ローカルウェイクアップ信号を生成するために、これらのコンポーネントのうちのいくつかを含み得る。
【００４６】
[0057]  ＬＯ３０２またはＩＦジェネレータ３０４は、接地を中心とした正弦波信号（sinusoidal signal）４１４を出力し得る。正弦波信号４１４からのエネルギは、エネルギ検出器４０２によって検出され得る。エネルギ検出器４０２によって検出される正弦波信号４１４からのエネルギの存在は、無線モジュール１０４がウェイクアップするべきであることのインジケーションであり得る。（図３のインバータはまた、いくつかの例ではヒステリシスを有し得る。）
[0058]  図５は、ここに説明されるシステムおよび方法によるウェイクアップ回路構成５００の例を例示する図である。ウェイクアップ回路構成５００は、図１に関して説明された無線モジュール１０４内に存在し得る。この図は、ＲＦ回路構成を含み、そのうちの一部はまた、例えばＬＯ３０２、ＩＦジェネレータ３０４、ＲＦコントローラ３０６、ケーブルマルチプレクサ３０８、および入力スイッチ３２２のように図３および図４にも例示されている。ウェイクアップ回路構成５００は、例えば、ＬＯ周波数でも、ＩＦ周波数でも、またはＲＦ制御周波数でもない任意周波数（an arbitrary frequency）のウェイクアップ信号を可能にする回路構成５００の例を提供する。（ＬＯ周波数、ＩＦ周波数、またはＲＦ制御周波数は、上述したように図３〜図４に関する例のうちの１つまたは複数と併せて使用され得る。）
[0059]  ケーブルマルチプレクサ３０８の入力は、回路構成５０２に結合され得る。例えば、ケーブルマルチプレクサ３０８の入力は、入力フィルタ５０４を通して、および入力スイッチ３２２を通して、回路構成５０２に結合され得る。図５に例示される入力フィルタ５０４は、バンドパスフィルタであり得る。バンドパスフィルタは、マルチプレクサ３０８と並列であり得る。バンドパスフィルタの周波数範囲の選択は、ＬＯ周波数、ＩＦ周波数、またはＲＦ制御周波数以外の任意周波数の使用を可能にし得る。例えば、バンドパスフィルタの周波数範囲は、ウェイクアップ信号のための所望の任意周波数にマッチ（match）するように選択され得る。
【００４７】
[0060]  図５の例示された例における回路構成５０２は、エネルギ検出器４０２を含み、それは最初に図４に関して説明された。エネルギ検出器４０２は、ケーブルマルチプレクサ３０８の状態に応じて、すなわち、マルチプレクサにおいてどの信号入力が選択されてマルチプレクサの出力へとルーティングされるかに応じて、ＬＯ信号、ＩＦ信号、またはＲＦコントローラ信号からのエネルギを検出し得る。一般に、エネルギ検出器４０２は、ＬＯ信号またはＩＦ信号のいずれかが選択されるとき、使用され得る。しかしながら、いくつかの例は、ＲＦ制御信号を選択し得る。エネルギがエネルギ検出器４０２によって検出されることは、無線モジュール１０４がウェイクアップするべきであることのインジケーションを提供し得る。エネルギ検出器４０２の出力は、キャパシタ、３４２、によってフィルタされ得、インバータ４０４によってバッファされ得る。さらに、インバータ４０４は、いくらかの量のヒステリシスを提供し得る。ヒステリシスは、エネルギ検出器４０２からの誤判定を防ぐのに役立ち得る。
【００４８】
[0061]  ＬＯ３０２、ＩＦジェネレータ３０４、またはＲＦコントローラは、接地を中心とした正弦波信号５０８を出力し得る。正弦波信号５０８からのエネルギは、エネルギ検出器４０２によって検出され得る。正弦波信号５０８からのエネルギの存在は、無線モジュール１０４がウェイクアップするべきであることのインジケーションであり得る。
【００４９】
[0062]  図６は、ここに説明されるシステムおよび方法による例示的なウェイクアップ回路構成６００を例示する図である。ウェイクアップ回路構成６００は、図１に関して説明された無線モジュール１０４内に存在し得る。この図は、図１の無線モジュール１０４をウェイクアップするための決定を行うためにシングルケーブルインタフェース１０６からのＤＣ信号を使用し得る例を例示する。シングルケーブルインタフェース１０６からのＤＣ信号は、一対の抵抗器Ｒ３、Ｒ４を通して比較器６０４に接続され得る。一対の抵抗器Ｒ３、Ｒ４は、ＤＣ信号、ＶＤＤ、を分圧し得る分圧器を形成する。分圧された電圧は、図６においてＶＳＵＰと称される。
【００５０】
ＶＳＵＰ＝Ｒ４／（Ｒ３＋Ｒ４）
[0063]  生み出された分圧されたＤＣ信号、ＶＳＵＰは、比較器６０４の正側入力線への入力であり得る。低電力基準６０２は、電圧基準、ＶＲＥＦを、比較器６０４の負側入力に提供し得る。したがって、ＶＳＵＰおよびＶＲＥＦは、比較器６０４によって比較され得る。比較器の出力は、ＶＳＵＰとＶＲＥＦとの比較に基づいて生成され得る。いくつかの例では、ＶＤＤの減少は、無線モジュール１０４がパワーアップされるべきであること、より具体的には、無線コンポーネント１１０がパワーアップするべきであることをシグナリングするために使用され得る。いくつかの他の例では、ＶＤＤの減少は、パワーアップをシグナリングするために使用され得る。いくつかの他の例では、例えばパワーダウンの間のＶＤＤのわずかな低減と、その後に続くＶＤＤにおける公称電圧への増加が、パワーアップを開始するために使用され得る。さらに他の例では、例えばパワーダウンの間のＶＤＤのわずかな増加と、その後に続くＶＤＤにおける公称電圧への減少が、パワーアップを開始するために使用され得る。
【００５１】
[0064]  比較器６０４の出力は、インバータ６０６によってバッファされ得、インバータ６０６はまた、比較器６０４の出力に対して故意でないまたは望まれない変化を生じさせ得るノイズをフィルタ除去するのに役立つヒステリシスを提供し得る。低電力基準６０２、比較器６０４、またはインバータ６０６を含む１つまたは複数のコンポーネントは、マスタ回路とスレーブ回路との間で結合されたリモートウェイクアップ信号を検出することに基づいて、スレーブ回路においてローカルウェイクアップ信号を生成し、ローカルウェイクアップ信号を用いてスレーブ回路をウェイクアップするように構成されるウェイクアップ信号ジェネレータの機能を果たし得る。一般に、ウェイクアップ信号ジェネレータは、ローカルウェイクアップ信号を生成するために、これらのコンポーネントのうちのいくつかを含み得る。
【００５２】
[0065]  図７は、図６の図と併せて使用され得る様々な電圧信号を例示する図７００である。無線モジュールのパワーダウン状態の間、ＶＤＤは依然としてアクティブであり得る。ＶＤＤが正の電圧であると仮定すると、電圧ＶＳＵＰは、電圧ＶＲＥＦより高い可能性がある。したがって、無線モジュール１０４がパワーダウン状態にあるとき、比較器６０４の出力はｈｉｇｈであり得、インバータ６０６の出力はｌｏｗであり得る。図１の無線モジュール１０４がパワーアップされることになるとき、コアモジュール１０２は、電圧ＶＤＤを一瞬低下させ得る。電圧ＶＤＤが一瞬低下されるとき、図７に示されるように、電圧ＶＳＵＰもまた一瞬低下することになる。電圧ＶＳＵＰが電圧ＶＲＥＦより低いとき、比較器６０４の出力はｌｏｗ値に遷移することになり、インバータ６０６の出力はｈｉｇｈ値に遷移することになる。そして電圧ＶＤＤが上昇するとき、図７に示されるように、電圧ＶＳＵＰもまた上昇することになる。電圧ＶＳＵＰが電圧ＶＲＥＦより高いとき、比較器６０４の出力はｈｉｇｈ値に遷移することになり、インバータ６０６の出力はｌｏｗ値に遷移することになる。
【００５３】
[0066]  図８は、図３のウェイクアップ回路中で使用され得る例示的な設定可能なチャージポンプ３３６を例示する図である。設定可能なチャージポンプ３３６が電流源３３８および電流源３４０を含むことを図３の説明から思い出して欲しい。ＰＭＯＳトランジスタ８０２は、図３に例示される電流源３３８を提供し得る。ＰＭＯＳトランジスタ８０２は、電圧ＶＤＤに結合され、入力ＩＮによって制御される。ＩＮがｌｏｗであるとき、ＰＭＯＳトランジスタ８０２はオンであり、ＰＭＯＳトランジスタ８０２を通して電流が流れ得る。
【００５４】
[0067]  電流源３４０は、ＮＭＯＳトランジスタ８１０、８１２によって提供され得る。ＩＮがｈｉｇｈであり、コンポーネント８０８内のスイッチがアクティブであるとき、ＮＭＯＳトランジスタ８１０はアクティブである。ＮＭＯＳトランジスタ８１２は、信号ｒｆｃによって制御され、それはコンポーネント８０８内のスイッチの状態に応じたＶＣＣと制御入力（ｃｔｒｌ）との関数であり得る。インバータ８０４、８０６は、制御入力（ｃｔｒｌ）を反転させ得るおよびバッファし得る。したがって、ｒｆｃ信号は、制御信号（ｃｔｒｌ）に等しい可能性がある。代替的に、コンポーネント８０８内のスイッチの状態に応じて、ｒｆｃは、インバータ８０６を通したＶＳＳの反転に基づいて、ｌｏｗ値であり得る。
【００５５】
[0068]  上述したように、例えば波形３５４によって表される排他的なＯＲゲート３２０の出力は、設定可能なチャージポンプ３３６を制御し得る。一例では、比較器３１２、３１４の両方の出力は、最初は両方ともｌｏｗであり得る。したがって、排他的なＯＲゲート３２０への入力は両方ｌｏｗであり得、排他的なＯＲゲート３２０の出力は最初はｌｏｗであり得る。電流源３３８は、ＰＭＯＳトランジスタ８０２によって提供され得る。ＰＭＯＳトランジスタ８０２は、ＰＭＯＳトランジスタ８０２がオンであるとき、ＶＤＤをキャパシタ３４２に接続し得る。ＰＭＯＳトランジスタ８０２は、排他的なＯＲゲート３２０の出力がｌｏｗであるとき、オンであり得る。したがって、キャパシタ３４２は、ＶＤＤへの接続からの電流で充電され得る。
【００５６】
[0069]  入力信号が検出されるとき、比較器３１２への入力は、比較器３１２についての正のしきい値を上回ってトグルし始め得る。同様に、入力信号が検出されるとき、比較器３１４への入力は、比較器３１４についての負のしきい値を下回ってトグルし始め得る。比較器３１２、３１４の出力がトグルし始め、排他的なＯＲゲート３２０の出力がその結果としてトグルする。
【００５７】
[0070]  上述したように、一般に、排他的なＯＲゲート３２０の出力は、排他的なＯＲゲートの出力がトグルしているとき、それがｌｏｗである時間よりも長い間ｈｉｇｈであり得る。排他的なＯＲゲート３２０の出力がｈｉｇｈであるとき、ＰＭＯＳトランジスタ８０２はオフである。設定可能なチャージポンプ３３６中の（１つまたは複数の）ＮＭＯＳトランジスタ８１０、８１２はすると、キャパシタ３４２を放電し得、キャパシタ３４２を通過する電圧が減少し得る。
【００５８】
[0071]  一例では、設定可能なチャージポンプ３３６の設定可能性（configurability）は、例えばＮＭＯＳトランジスタ８１０、８１２等の複数のＮＭＯＳトランジスタの並列なアレイの使用に少なくとも部分的に起因する。使用されるＮＭＯＳトランジスタ８１０、８１２の数、使用されるＮＭＯＳトランジスタ８１０、８１２のサイズ、または数とサイズ両方の組合せは、キャパシタ３４２を通過する電圧の減少の傾きを制御し得る。使用されるＮＭＯＳトランジスタ８１０、８１２の数は、選択可能であり得る。（ＮＭＯＳトランジスタ８１０は、チャージポンプを構成するために使用されるプライマリトランジスタであり得る。いくつかの例では、ＮＭＯＳトランジスタ８１２は、一般に、同時にオンであり得、かつ、ＶＳＳへの潜在的な電流経路（the potential current paths）の各々をイネーブルまたはディセーブルするために使用され得る。）。
【００５９】
[0072]  キャパシタ３４２を通過する電圧の減少は、波形３４６に例示される。より多くのトランジスタまたはより大きなトランジスタは、一般に、より少ないトランジスタまたはより小さいトランジスタに比べて、より多くの電流を伝え得るので、より多くの数のＮＭＯＳトランジスタ８１０、８１２、またはより大きなＮＭＯＳトランジスタ８１０、８１２を使用することは、キャパシタ３４２からの放電の速度を増し得る。各ＮＭＯＳトランジスタ８１０の各ゲートは、１つまたは複数の制御線：ｎｃｔｒｌ［０］、ｎｃｔｒｌ［１］、ｎｃｔｒｉｌ［２］、ｎｃｔｒｉｌ［３］によって制御され得る。例示的な制御線ｎｃｔｒｌ［０］、ｎｃｔｒｌ［１］、ｎｃｔｒｉｌ［２］、ｎｃｔｒｉｌ［３］は、（単一のスイッチとして例示される）スイッチを通して、例えば図８における「ＩＮ」等の設定可能なチャージポンプの入力である、排他的なＯＲ３２０の出力のいずれかに接続され得る。ＩＮへの接続は、ＮＭＯＳトランジスタ８１０がイネーブルされるときに使用され得、ＮＭＯＳトランジスタは、キャパシタ３４２の放電に寄与するように意図される。代替的に、例示的な制御線ｎｃｔｒｌ［０］、ｎｃｔｒｌ［１］、ｎｃｔｒｉｌ［２］、ｎｃｔｒｉｌ［３］は、例えばＮＭＯＳトランジスタ８１０がディセーブルされるとき、接地（またはインバータ８０６からのｌｏｗ出力）に接続され得る。ＮＭＯＳトランジスタ８１２は、ＶＳＳへの電流経路をイネーブルまたはディセーブルするために使用され得る。
【００６０】
[0073]  イネーブルされたＮＭＯＳトランジスタ８１０および単一のＰＭＯＳトランジスタ８０２は、排他的なＯＲゲート３２０の出力（図８における「ＩＮ」）に接続され得る。波形３４６の傾きは、キャパシタ３４２の放電に基づき得る。キャパシタ３４２の放電の傾きは、ＮＭＯＳトランジスタ対ＰＭＯＳトランジスタ８０２の比（またはＮＭＯＳトランジスタを通る電流対ＰＭＯＳトランジスタ８０２を通る電流の比）に依存し得る。
【００６１】
[0074]  設定可能なチャージポンプ３３６は、比較器３１２、３１４の信号、例えばパルス列（波形３４６）を、ＤＣ値（３４６）に変換し得る。設定可能なチャージポンプ３３６は、調整可能であり得る。ＰＭＯＳトランジスタ８０２および調整可能な（１つまたは複数の）ＮＭＯＳトランジスタ８１０、８１２は、充電および放電の経路の関係を調整し得、より遅い、またはより速いパルスＤＣ変換を可能にする。より速い検出または補償のためには、より大きなＮＭＯＳデバイス（またはより多くのＮＭＯＳトランジスタ８１０、８１２）が使用され得る。誤警報（false alarms）が発生する場合は、より小さいＮＭＯＳデバイス（またはより少ないＮＭＯＳトランジスタ）が、メカニズムの応答を遅くするために使用され得る。較正に関し、各比較器３１２、３１４は別々に較正され得る。
【００６２】
[0075]  いくつかの例では、一実施形態は、例えば６０ＧＨｚの無線モジュール等の無線モジュールに埋め込まれる、＜５０ｕＡの電流消費の低電力ウェイクアップ検出器の役割を果たす。低電力ウェイクアップ検出器は、チップのその他の残りの部分がオフにされ得る一方で、パワーダウンモードの間、動作状態に保たれ得る。低電力ウェイクアップ検出器の動作は、パワーアップシーケンスを開始するために使用される整合された５０Ωのソースからの１２５ＭＨｚの方形波信号（例えば、図３の方形波３２８）に基づき得る。いくつかの例は、無線モジュール１０４が、ここに説明されるシステムおよび方法を使用するスイッチを使用してパワーダウンされる必要がないので、コアエッジにおける外部のオンボード電力スイッチを取り除き（eliminate）得る。ここに説明されるシステムおよび方法は、依然として非常に少ない電流消費で無線モジュール１０４のディープパワーダウンモードを可能にし得る。
【００６３】
[0076]  ウェイクアップ回路構成（３００）のいくつかの例は、入力信号（３４８）に結合された第１の比較器（３１２）を含む。第１の比較器（３１２）は、入力信号（３４８）を第１の比較値（３１６）と比較するように構成される。例は、入力信号（３４８）に結合された第２の比較器（３１４）を含む。第２の比較器（３１４）は、入力信号（３４８）を第２の比較値（３１８）と比較するように構成される。例は、排他的なＯＲゲート（３２０）を含む。排他的なＯＲゲート（３２０）の第１の入力は、第１の比較器の出力（３５０）に結合される。排他的なＯＲゲート（３２０）の第２の入力は、第２の比較器の出力（３５２）に結合される。例は、排他的なＯＲゲート（３２０）の出力に結合されかつモニタされている回路をウェイクアップするために排他的なＯＲゲート（３２０）からのパルス列（３５４）等の信号をＤＣ値（３４６）に変換するように構成される、設定可能なチャージポンプ（３３６）を含む。（ここに説明されるように、モニタされている回路をウェイクアップする「ＤＣ値」は、例えば、排他的なＯＲゲート３２０の出力、ならびに、レベルシフトされた、フィルタされた、または別の方法で処理されたバージョンのＤＣ値を含む。）
【００６４】
[0077]  例は、ＤＣ値をデジタル電圧レベル（３４７）に変換するように構成されるバッファ（３４４）を含み得る。バッファ（３４４）は、インバータ（３４４）であり得る。例はさらに、ＤＣ較正のために入力信号を絶縁するように構成される入力スイッチ（３２２）を含み得る。例はさらに、入力スイッチ（３２２）を入力信号（３２８）に結合するＤＣブロックキャパシタ（３２４）を含み得る。例はさらに、ＤＣセット回路（３２６）を含み得る。
【００６５】
[0078]  いくつかの例示的なウェイクアップ回路は、固定セットのケーブル接続（１０６）のうちの少なくとも１つの接続を使用して、マスタ回路（１０２）とスレーブ回路（１０４）との間でリモートウェイクアップ信号（３２８）を結合するための固定セットのケーブル接続（１０６）を含む。スレーブ回路（１０４）は、マスタ回路（１０２）とスレーブ回路（１０４）との間で結合されたリモートウェイクアップ信号（３２８）を検出する。スレーブ回路（１０４）は、マスタ回路（１０２）とスレーブ回路（１０４）との間で結合されたリモートウェイクアップ信号（３２８）を検出することに基づいて、ローカルウェイクアップ信号（３５４、３４６、３４７）を生成する。例は、ローカルウェイクアップ信号（３５４、３４６、３４７）に基づいて、スレーブ回路（１０４）をウェイクアップする。
【００６６】
[0079]  少なくとも１つの接続はさらに、マスタ回路（１０２）とスレーブ回路（１０４）との間で第２の信号（３２８）を結合する。（第１の信号は、無線モジュールをパワーアップするために生成されるＬＯ、ＩＦ、またはＲＦ制御信号であり得る。第２の信号は、無線モジュールの動作の間に生成されるＬＯ、ＩＦ、またはＲＦ制御信号であり得る。）。
【００６７】
[0080]  例は、スレーブ回路（３０４）がアウェイク(awake)状態であるときに、少なくともある時間の期間の間、マスタ回路（３０２）とスレーブ回路（３０４）との間で第２の信号（３２８）を結合し得る。例は、第１の比較結果（３５０）を生成するために、入力信号（３４８）を第１の比較値（３２６）と比較し得る。例は、第２の比較結果（３５２）を生成するために、入力信号（３４８）を第２の比較値（３１８）と比較し得る。例は、信号、例えば、パルス列（３５４）を生成するために、第１の比較結果（３５０）と第２の比較結果（３５２）とを組み合わせ得る。
【００６８】
[0081]  一例では、リモートウェイクアップ信号（３２８）を検出することはさらに、エネルギ検出器（４０２）を使用してリモートウェイクアップ信号からのエネルギを検出することを含み得る。一例では、リモートウェイクアップ信号は、ＤＣ電圧（ＶＤＤ）を含む。一例では、リモートウェイクアップ信号（３２８）を検出することはさらに、ＤＣ電圧（ＶＤＤ、ＶＳＵＰ）を検出することを含む。一例では、リモートウェイクアップ信号は、ＲＦ制御信号（３０６）を含む。一例では、リモートウェイクアップ信号は、ＩＦ信号（３０４）を含む。一例では、リモートウェイクアップ信号は、ＬＯ信号（３０２）を含む。一例では、リモートウェイクアップ信号は、選択的に、ＲＦ制御信号（３０６）、ＩＦ信号（３０４）、またはＬＯ信号（３０２）のうちの１つを含む。一例では、ケーブルマルチプレクサ（３０８）は、ＲＦ制御信号（３０６）、ＩＦ信号（３０４）、またはＬＯ信号（３０２）のうちの１つを、リモートウェイクアップ信号として選択し得る。さらに、一例は、リモートウェイクアップ信号（３０２、３０４、３０６）をフィルタ（３２４、５０４）し得る。
【００６９】
[0082]  図９は、ここに説明されるシステムおよび方法による例示的な方法を例示するフローチャート９００である。方法は、パワーダウンされた回路（１０４）をウェイクアップするために、ウェイクアップ回路構成（３００）中でインプリメントされ得る。ブロック９０２は、第１の比較結果（３５０）を生成するために、入力信号（３４８）を第１の比較値（３１６）と比較する（３１２）。比較される入力値は、ＬＯ信号（３０２）、ＩＦ信号（３０４）、またはＲＦ制御信号（３０６）であり得る。比較される入力値は、キャパシタ３２４によってＤＣフィルタされている、および抵抗器Ｒ１およびＲ２によってＤＣセットされている可能性がある。
【００７０】
[0083]  ブロック９０４は、第２の比較結果（３５２）を生成するために、入力信号（３４８）を第２の比較値（３１８）と比較する（３１４）。比較される入力値は、ＬＯ信号（３０２）、ＩＦ信号（３０４）、またはＲＦ制御信号（３０６）であり得る。比較される入力値は、キャパシタ３２４によってＤＣフィルタされている、および抵抗器Ｒ１およびＲ２によってＤＣセットされている可能性がある。
【００７１】
[0084]  ブロック９０６は、信号、例えばパルス列（３５４）を生成するために、第１の比較結果（３５０）と第２の比較結果（３５２）とを組み合わせる（３２０）。第１の比較結果（３５０）および第２の比較結果（３５２）は、排他的なＯＲゲート３２０または他の論理回路構成を使用して組み合わせられ得る。
【００７２】
[0085]  ブロック９０８は、信号（３５４）をＤＣ値（３４６）に変換する（３３６）。信号、例えばパルス列は、電流源３３８、３４０を含み得る設定可能なチャージポンプ３３６によって変換され得る。
【００７３】
[0086]  ブロック９１０は、ＤＣ値（３４６）に基づいて、パワーダウンされた回路（１０４）をウェイクアップする。例えば、ＤＣ値（３４６）またはＤＣ値のデジタルバージョン（３４７）は、無線モジュール１０４をウェイク（wake）させるために使用され得る。ここに説明されたように、ＤＣ値という用語は、特許請求の範囲において使用されるとき、ＤＣ値（３４６）、ならびに、フィルタされた、ＤＣシフトされた、または別の方法で処理されたバージョンのＤＣ値（３４６）を含む。
【００７４】
[0087]  いくつかの例では、方法はさらに、ＤＣ値をデジタル電圧レベル（３４６）に変換するために、ＤＣ値（３４６）をバッファすること（３４４）を含み得る。ＤＣ値（３４６）をバッファすること（３４４）は、ＤＣ値（３４６）をバッファ（３４４）するためのインバータを使用することを含み得る。いくつかの例は、ＤＣ較正のために入力信号を絶縁するために入力信号を切り替えること（３２２）を含み得る。
【００７５】
[0088]  図１０は、ここに説明されるシステムおよび方法による例示的な方法を例示するフローチャート１０００である。方法は、パワーダウンされた回路（１０４）をウェイクアップするために、ウェイクアップ回路構成（３００、４００、５００、６００）中でインプリメントされ得る。ブロック１００２は、固定セットのケーブル接続（１０６）のうちの少なくとも１つの接続を使用して、マスタ回路（１０２）とスレーブ回路（１０４）との間でリモートウェイクアップ信号（３２８）を結合する。少なくとも１つの接続（１０６）はさらに、マスタ回路（１０２）とスレーブ回路（１０４）との間で第２の信号を結合する。第２の信号は、スレーブ回路（１０４）がアウェイク状態であるときに、少なくともある時間の期間の間、マスタ回路（１０２）とスレーブ回路（１０４）との間で接続され得る。
【００７６】
[0089]  ブロック１００４は、スレーブ回路（１０４）において、マスタ回路（１０２）とスレーブ回路（１０４）との間で結合されたリモートウェイクアップ信号（３２８）を検出する。いくつかの例では、リモートウェイクアップ信号（３２８）を検出することは、エネルギ検出器（４０２）を使用してリモートウェイクアップ信号からのエネルギを検出することを含み得る。リモートウェイクアップ信号は、ＤＣ電圧（ＶＤＤ）であり得る。したがって、一例では、リモートウェイクアップ信号を検出することは、ＤＣ電圧（ＶＤＤ）を検出することを含み得る。別の例では、リモートウェイクアップ信号は、ＲＦ制御信号（３０６）であり得る。別の例では、リモートウェイクアップ信号は、ＩＦ信号（３０４）であり得る。別の例では、リモートウェイクアップ信号は、ＬＯ信号（３０２）であり得る。リモートウェイクアップ信号は、選択的に、ＲＦ制御信号（３０６）、ＩＦ信号（３０４）、またはＬＯ信号（３０２）のうちの１つであり得る。一例では、リモート信号を検出することは、ＲＦ制御信号（３０６）、ＩＦ信号（３０４）、またはＬＯ信号（３０２）のうちの１つを、リモートウェイクアップ信号（３２８）として選択すること（３０８）を含み得る。いくつかの例は、リモートウェイクアップ信号をフィルタ（３２４、５０４）し得る。
【００７７】
[0090]  ブロック１００６は、マスタ回路（１０２）とスレーブ回路（１０４）との間で結合されたリモートウェイクアップ信号（３２８）を検出することに基づいて、スレーブ回路（１０４）においてローカルウェイクアップ信号（３４６、４１２）を生成する。リモートウェイクアップ信号（３２８）は、図３〜図６および図８に関して説明された回路構成によって生成され得る。
【００７８】
[0091]  ブロック１００８は、ローカルウェイクアップ信号（３４６、４１２）に基づいて、スレーブ回路（１０４）をウェイクアップする。図３〜図６および図８に関して説明された回路構成によって生成されるウェイクアップ信号（３４６、４１２）は、図１の無線モジュール１０４のような回路構成をウェイクアップするために使用され得る。
【００７９】
[0092]  図１１は、ここに説明されるシステムおよび方法による例示的な方法を例示するフローチャート１１００である。図１１の方法は、図１０の方法と共に使用され得る。図１１の方法は、図９の方法の複数のステップのサブセットを含み、それは図１０の方法に適用され得る。方法は、パワーダウンされた回路（１０４）をウェイクアップするために、ウェイクアップ回路構成（３００）中でインプリメントされ得る。より具体的には、図１１のフローチャート１１００は、リモートウェイクアップ信号（３２８）を検出することに関連する。ブロック１１０２は、第１の比較結果（３５０）を生成するために、入力信号（３４８）を第１の比較値（３１６）と比較する（３１２）。
【００８０】
[0093]  ブロック１１０４は、第２の比較結果（３５２）を生成するために、入力信号（３４８）を第２の比較（３１４）値と比較する（３１２）。
【００８１】
[0094]  ブロック１１０６は、信号、例えばパルス列信号（３５４）を生成するために、第１の比較結果（３５０）と第２の比較結果（３５２）とを組み合わせる。
【００８２】
[0095]  いくつかの例では、ウェイクアップ回路構成（３００）は、第１の比較結果（３５０）を生成するために、入力信号を第１の比較値（３１６）と比較するための手段（３１２）を含む。例は、第２の比較結果（３５２）を生成するために、入力信号を第２の比較値（３１８）と比較するための手段（３１８）を含む。例は、パルス列信号（３５４）を生成するために、第１の比較結果（３５０）と第２の比較結果（３５２）とを組み合わせるための手段（３２０）を含む。例は、パルス列信号をＤＣ値（３４６）に変換するための手段（３３６）を含む。例は、ＤＣ値（３４６）に基づいて、回路（１０４）をウェイクアップするための手段（３４６）を含む。
【００８３】
[0096]  例は、ＤＣ値（３４６）をデジタル電圧レベル（３４７）に変換するために、ＤＣ値（３４６）をバッファするための手段（３４４）を含み得る。いくつかの例では、ＤＣ値（３４６）をバッファするための手段（３４４）は、インバータであり得る。例は、ＤＣ較正のために入力信号を絶縁するために入力信号を切り替えるための手段（３２２）を含み得る。例は、ＤＣフィルタされた入力信号（３４８）を生成するために、入力信号をＤＣフィルタするための手段（３２４）を含み得る。例は、ＤＣフィルタされた入力信号（３４８）をＤＣセットするための手段（３２６）を含み得る。
【００８４】
[0097]  いくつかの例は、固定セットのケーブル接続（１０６）のうちの少なくとも１つの接続（１０６）を使用して、マスタ回路（１０２）とスレーブ回路（１０４）との間でリモートウェイクアップ信号（３２８）を結合するための手段（１０６）を含む。少なくとも１つの接続（１０６）はさらに、マスタ回路（１０２）とスレーブ回路（１０４）との間で第２の信号（３２８）を結合する。例は、スレーブ回路（１０４）において、マスタ回路（１０２）とスレーブ回路（１０４）との間で結合されたリモートウェイクアップ信号（３２８）を検出するための手段（３００）を含む。例は、マスタ回路（１０２）とスレーブ回路（１０４）との間で結合されたリモートウェイクアップ信号（３２８）を検出することに基づいて、スレーブ回路（１０４）においてローカルウェイクアップ信号（３４６）を生成するための手段（３２０）を含む。例は、ローカルウェイクアップ信号（３４６）に基づいて、スレーブ回路（１０４）をウェイクアップするための手段（３４６）を含む。
【００８５】
[0098]  例は、第１の比較結果（３５０）を生成するために、入力信号を第１の比較値（３１６）と比較するための手段（３１２）を含み得る。例は、第２の比較結果（３５２）を生成するために、入力信号を第２の比較値（３１８）と比較するための手段（３１４）を含み得る。例は、信号、例えばパルス列信号（３５４）を生成するために、第１の比較結果（３５０）と第２の比較結果（３５２）とを組み合わせるための手段（３２０）を含み得る。
【００８６】
[0099]  例は、ＲＦ制御信号（３０６）、ＩＦ信号（３０４）、またはＬＯ信号（３０２）のうちの１つを、リモートウェイクアップ信号として選択するための手段（３０８）を含み得る。さらに、例は、リモートウェイクアップ信号（３２８）をフィルタするための手段（３２４、５０４）を含み得る。
【００８７】
[00100]  ここに説明されるシステムおよび方法は、同じケーブル接続、例えばＤＣ、制御、ＬＯまたはＩＦが、それぞれ、ウェイクアップ信号のためにおよびＤＣ、制御、ＬＯまたはＩＦ接続のために使用されることを可能にし得る。さらに、いくつかの例では、ここに説明されるシステムおよび方法は、同じ信号、例えばＤＣ、制御、ＬＯまたはＩＦが、それぞれ、ウェイクアップ信号として、およびＤＣ信号、制御信号、ＬＯ信号またはＩＦ信号のために使用されることを可能にし得る。
【００８８】
[00101]  開示されたプロセス／フローチャートにおけるブロックの特定の順序または階層は、例示的なアプローチの一例であるということは理解される。設計の選好に基づいて、これらのプロセス／フローチャートにおけるブロックの特定の順序または階層は並べ換えられ得ることは理解される。さらに、いくつかのブロックは、組み合わせられ得るか、または省略され得る。添付の方法の請求項は、様々なブロックの要素をサンプルの順序で提示するが、それらは提示された特定の順序または階層に限定されることを意味していない。
【００８９】
[00102]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。「例示的な（exemplary）」という用語は、ここで「例、事例、または例示としての役割を果たす」という意味で使用される。「例示的」であるとここで説明されたいずれの態様も、必ずしも、他の態様よりも好ましいまたは有利であると解釈されるべきではない。そうでないとの明確な記載がない限り、「いくつかの／何らかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、マルチプルな（multiples of）Ａ、マルチプルなＢ、またはマルチプルなＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られている、あるいは後に知られることになる、本開示全体にわたって説明された様々な態様の要素に対するすべての構造的および機能的な同等物は、参照によってここに明示的に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。「モジュール」、「メカニズム」、「要素」、「デバイス」等の用語は、「手段」という用語の代用ではない可能性がある。したがって、要素が「〜のための手段」という表現を使用して明記されていない限り、請求項のいずれの要素もミーンズプラスファンクションとして解釈されるべきではない。
【図１】
2020102857.tif 000003
【図２】
2020102857.tif 000004
【図３】
2020102857.tif 000005
【図４】
2020102857.tif 000006
【図５】
2020102857.tif 000007
【図６】
2020102857.tif 000008
【図７】
2020102857.tif 000009
【図８】
2020102857.tif 000010
【図９】
2020102857.tif 000011
【図１０】
2020102857.tif 000012
【図１１】
2020102857.tif 000013
【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
システム内のスレーブ回路をウェイクアップするための装置であって、
固定セットのケーブル接続のうちの少なくとも１つの接続を使用して、マスタ回路と前記スレーブ回路との間でリモートウェイクアップ信号を結合するように構成される結合器と、前記少なくとも１つの接続はさらに、前記マスタ回路と前記スレーブ回路との間で第２の信号を結合する、
前記スレーブ回路において、制御信号、中間周波数（ＩＦ）信号、またはローカル発振器（ＬＯ）信号から前記リモートウェイクアップ信号を選択するように構成される選択コンポーネントと、
前記スレーブ回路において、前記マスタ回路と前記スレーブ回路との間で結合された前記リモートウェイクアップ信号を検出するように構成される検出器と、
前記マスタ回路と前記スレーブ回路との間で結合された前記リモートウェイクアップ信号を検出することに基づいて、前記スレーブ回路においてローカルウェイクアップ信号を生成し、前記ローカルウェイクアップ信号を用いて前記スレーブ回路をウェイクアップするように構成されるウェイクアップ信号ジェネレータと、
を備える、装置。
【請求項２】
前記第２の信号は、前記スレーブ回路がアウェイク(awake)状態であるときに、少なくともある時間の期間の間、前記マスタ回路と前記スレーブ回路との間で結合される、請求項１に記載の装置。
【請求項３】
前記検出器は、
第１の比較結果を生成するために、入力信号を第１の比較値と比較することと、
第２の比較結果を生成するために、前記入力信号を第２の比較値と比較することと、
信号を生成するために、前記第１の比較結果と前記第２の比較結果とを組み合わせることと、
を行うようにさらに構成される、請求項１に記載の装置。
【請求項４】
前記検出器がエネルギ検出器を備える、請求項１に記載の装置。
【請求項５】
前記リモートウェイクアップ信号が直流（ＤＣ）電圧を備える、請求項１に記載の装置。
【請求項６】
前記検出器が、直流（ＤＣ）電圧を検出するようにさらに構成される、請求項５に記載の装置。
【請求項７】
前記リモートウェイクアップ信号が前記制御信号を備える、請求項１に記載の装置。
【請求項８】
前記リモートウェイクアップ信号が前記ＩＦ信号を備える、請求項１に記載の装置。
【請求項９】
前記リモートウェイクアップ信号が前記ＬＯ信号を備える、請求項１に記載の装置。
【請求項１０】
前記制御信号がデジタルビットシーケンスを備える、請求項１に記載の装置。
【請求項１１】
前記リモートウェイクアップ信号をフィルタするように構成されるフィルタをさらに備える、請求項１０に記載の装置。
【請求項１２】
システム内のスレーブ回路をウェイクアップするための方法であって、
固定セットのケーブル接続のうちの少なくとも１つの接続を使用して、マスタ回路と前記スレーブ回路との間でリモートウェイクアップ信号を結合することと、前記少なくとも１つの接続はさらに、前記マスタ回路と前記スレーブ回路との間で第２の信号を結合する、
前記スレーブ回路において、制御信号、中間周波数（ＩＦ）信号、またはローカル発振器（ＬＯ）信号から前記リモートウェイクアップ信号を選択することと、
前記スレーブ回路において、前記マスタ回路と前記スレーブ回路との間で結合された前記リモートウェイクアップ信号を検出することと、
前記マスタ回路と前記スレーブ回路との間で結合された前記リモートウェイクアップ信号を検出することに基づいて、前記スレーブ回路においてローカルウェイクアップ信号を生成し、前記ローカルウェイクアップ信号を用いて前記スレーブ回路をウェイクアップすることと、
を備える、方法。
【請求項１３】
前記第２の信号は、前記スレーブ回路がアウェイク状態であるときに、少なくともある時間の期間の間、前記マスタ回路と前記スレーブ回路との間で結合される、請求項１２に記載の方法。
【請求項１４】
第１の比較結果を生成するために、入力信号を第１の比較値と比較することと、
第２の比較結果を生成するために、前記入力信号を第２の比較値と比較することと、
信号を生成するために、前記第１の比較結果と前記第２の比較結果とを組み合わせることと、
をさらに備える、請求項１２に記載の方法。
【請求項１５】
前記スレーブ回路において前記リモートウェイクアップ信号を検出することがエネルギ検出器を使用してエネルギを検出することを備える、請求項１２に記載の方法。
【請求項１６】
前記リモートウェイクアップ信号が直流（ＤＣ）電圧を備える、請求項１２に記載の方法。
【請求項１７】
直流（ＤＣ）電圧を検出することをさらに備える、請求項１６に記載の方法。
【請求項１８】
前記リモートウェイクアップ信号が前記制御信号を備える、請求項１２に記載の方法。
【請求項１９】
前記リモートウェイクアップ信号が前記ＩＦ信号を備える、請求項１２に記載の方法。
【請求項２０】
前記リモートウェイクアップ信号が前記ＬＯ信号を備える、請求項１２に記載の方法。
【請求項２１】
前記制御信号がデジタルビットシーケンスを備える、請求項１２に記載の方法。
【請求項２２】
前記リモートウェイクアップ信号をフィルタすることをさらに備える、請求項２１に記載の方法。
【請求項２３】
システム内のスレーブ回路をウェイクアップするための装置であって、
固定セットのケーブル接続のうちの少なくとも１つの接続を使用して、マスタ回路と前記スレーブ回路との間でリモートウェイクアップ信号を結合するための手段と、前記少なくとも１つの接続はさらに、前記マスタ回路と前記スレーブ回路との間で第２の信号を結合する、
前記スレーブ回路において、制御信号、中間周波数（ＩＦ）信号、またはローカル発振器（ＬＯ）信号から前記リモートウェイクアップ信号を選択するための手段と、
前記スレーブ回路において、前記マスタ回路と前記スレーブ回路との間で結合された前記リモートウェイクアップ信号を検出するための手段と、
前記マスタ回路と前記スレーブ回路との間で結合された前記リモートウェイクアップ信号を検出することに基づいて、前記スレーブ回路においてローカルウェイクアップ信号を生成し、前記ローカルウェイクアップ信号を用いて前記スレーブ回路をウェイクアップするための手段と、
を備える、装置。
【請求項２４】
前記第２の信号は、前記スレーブ回路がアウェイク状態であるときに、少なくともある時間の期間の間、前記マスタ回路と前記スレーブ回路との間で結合される、請求項２３に記載の装置。
【請求項２５】
第１の比較結果を生成するために、入力信号を第１の比較値と比較するための手段と、
第２の比較結果を生成するために、前記入力信号を第２の比較値と比較するための手段と、
信号を生成するために、前記第１の比較結果と前記第２の比較結果とを組み合わせるための手段と、
をさらに備える、請求項２３に記載の装置。
【請求項２６】
前記スレーブ回路において前記リモートウェイクアップ信号を検出することがエネルギ検出器を使用してエネルギを検出することを備える、請求項２３に記載の装置。
【請求項２７】
前記リモートウェイクアップ信号が直流（ＤＣ）電圧を備える、請求項２３に記載の装置。
【手続補正２】
【補正対象書類名】明細書
【補正対象項目名】００８９
【補正方法】変更
【補正の内容】
【００８９】
[00102]  先の説明は、当業者が、ここに説明された様々な態様を実施することができるように提供されている。これらの態様に対する様々な変更は、当業者に容易に理解されるものであり、ここに定義された一般的な原理は、他の態様に適用され得る。したがって、特許請求の範囲は、ここに示される態様に限定されるようには意図されておらず、請求項の文言と一致する最大の範囲を認められるべきであり、ここで、ある要素への単数形での言及は、そのように明確に述べられていない限りは「１つおよび１つのみ」を意味するのではなく、「１つまたは複数」を意味するように意図されている。「例示的な（exemplary）」という用語は、ここで「例、事例、または例示としての役割を果たす」という意味で使用される。「例示的」であるとここで説明されたいずれの態様も、必ずしも、他の態様よりも好ましいまたは有利であると解釈されるべきではない。そうでないとの明確な記載がない限り、「いくつかの／何らかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、マルチプルな（multiples of）Ａ、マルチプルなＢ、またはマルチプルなＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られている、あるいは後に知られることになる、本開示全体にわたって説明された様々な態様の要素に対するすべての構造的および機能的な同等物は、参照によってここに明示的に組み込まれ、特許請求の範囲に包含されるように意図されている。さらに、本明細書におけるいかなる開示も、そのような開示が特許請求の範囲に明確に記載されているか否かに関わらず、公衆に献呈されることを意図したものではない。「モジュール」、「メカニズム」、「要素」、「デバイス」等の用語は、「手段」という用語の代用ではない可能性がある。したがって、要素が「〜のための手段」という表現を使用して明記されていない限り、請求項のいずれの要素もミーンズプラスファンクションとして解釈されるべきではない。
以下に、本願の出願当初の特許請求の範囲に記載された発明を付記する。
［Ｃ１］
ウェイクアップ回路であって、
入力信号に結合され、前記入力信号を第１の比較値と比較するように構成される第１の比較器と、
前記入力信号に結合され、前記入力信号を第２の比較値と比較するように構成される第２の比較器と、
排他的なＯＲゲートと、前記排他的なＯＲゲートの第１の入力は前記第１の比較器の出力に結合され、前記排他的なＯＲゲートの第２の入力は、前記第２の比較器の出力に結合される、
前記排他的なＯＲゲートの出力に結合され、モニタされている回路をウェイクアップするために、前記排他的なＯＲゲートからの信号を直流（ＤＣ）値に変換するように構成される調整可能なチャージポンプと、
を備える、ウェイクアップ回路。
［Ｃ２］
前記ＤＣ値をデジタル電圧レベルに変換するように構成されるバッファをさらに備える、Ｃ１に記載のウェイクアップ回路。
［Ｃ３］
前記バッファがインバータを備える、Ｃ２に記載のウェイクアップ回路。
［Ｃ４］
ＤＣ較正のために前記入力信号を絶縁するように構成される入力スイッチをさらに備える、Ｃ１に記載のウェイクアップ回路。
［Ｃ５］
前記入力スイッチを前記入力信号に結合するＤＣブロックキャパシタをさらに備える、Ｃ４に記載のウェイクアップ回路。
［Ｃ６］
ＤＣセット回路をさらに備える、Ｃ５に記載のウェイクアップ回路。
［Ｃ７］
回路をウェイクアップするための方法であって、
第１の比較結果を生成するために、入力信号を第１の比較値と比較することと、
第２の比較結果を生成するために、前記入力信号を第２の比較値と比較することと、  信号を生成するために、前記第１の比較結果と前記第２の比較結果とを組み合わせることと、
前記信号を直流（ＤＣ）値に変換することと、
前記ＤＣ値に基づいて、前記回路をウェイクアップすることと、
を備える、方法。
［Ｃ８］
前記ＤＣ値をデジタル電圧レベルに変換するために、前記ＤＣ値をバッファすることをさらに備える、Ｃ７に記載の方法。
［Ｃ９］
インバータを使用して前記ＤＣ値をバッファすることをさらに備える、Ｃ８に記載の方法。
［Ｃ１０］
ＤＣ較正のために前記入力信号を絶縁するために前記入力信号を切り替えることをさらに備える、Ｃ７に記載の方法。
［Ｃ１１］
ＤＣフィルタされた入力信号を生成するために、前記入力信号をＤＣフィルタすることをさらに備える、Ｃ１０に記載の方法。
［Ｃ１２］
前記ＤＣフィルタされた入力信号をＤＣセットすることをさらに備える、Ｃ１１に記載の方法。
［Ｃ１３］
ウェイクアップ回路であって、
第１の比較結果を生成するために、入力信号を第１の比較値と比較するための手段と、  第２の比較結果を生成するために、前記入力信号を第２の比較値と比較するための手段と、
信号を生成するために、前記第１の比較結果と前記第２の比較結果とを組み合わせるための手段と、
前記信号を直流（ＤＣ）値に変換するための手段と、
前記ＤＣ値に基づいて、回路をウェイクアップするための手段と、
を備える、ウェイクアップ回路。
［Ｃ１４］
前記ＤＣ値をデジタル電圧レベルに変換するために、前記ＤＣ値をバッファするための手段をさらに備える、Ｃ１３に記載のウェイクアップ回路。
［Ｃ１５］
前記ＤＣ値をバッファするための前記手段がインバータを備える、Ｃ１４に記載のウェイクアップ回路。
［Ｃ１６］
ＤＣ較正のために前記入力信号を絶縁するために前記入力信号を切り替えるための手段をさらに備える、Ｃ１３に記載のウェイクアップ回路。
［Ｃ１７］
ＤＣフィルタされた入力信号を生成するために、前記入力信号をＤＣフィルタするための手段をさらに備える、Ｃ１６に記載のウェイクアップ回路。
［Ｃ１８］
前記ＤＣフィルタされた入力信号をＤＣセットするための手段をさらに備える、Ｃ１７に記載のウェイクアップ回路。
［Ｃ１９］
システム内のスレーブ回路をウェイクアップするための装置であって、
固定セットのケーブル接続のうちの少なくとも１つの接続を使用して、マスタ回路と前記スレーブ回路との間でリモートウェイクアップ信号を結合するように構成される結合器と、前記少なくとも１つの接続はさらに、前記マスタ回路と前記スレーブ回路との間で第２の信号を結合する、
前記スレーブ回路において、前記マスタ回路と前記スレーブ回路との間で結合された前記リモートウェイクアップ信号を検出するように構成される検出器と、
前記マスタ回路と前記スレーブ回路との間で結合された前記リモートウェイクアップ信号を検出することに基づいて、前記スレーブ回路においてローカルウェイクアップ信号を生成し、前記ローカルウェイクアップ信号を用いて前記スレーブ回路をウェイクアップするように構成されるウェイクアップ信号ジェネレータと、
を備える、装置。
［Ｃ２０］
前記第２の信号は、前記スレーブ回路がアウェイク(awake)状態であるときに、少なくともある時間の期間の間、前記マスタ回路と前記スレーブ回路との間で結合される、Ｃ１９に記載の装置。
［Ｃ２１］
前記検出器は、
第１の比較結果を生成するために、入力信号を第１の比較値と比較することと、
第２の比較結果を生成するために、前記入力信号を第２の比較値と比較することと、  信号を生成するために、前記第１の比較結果と前記第２の比較結果とを組み合わせることと、
を行うようにさらに構成される、Ｃ１９に記載の装置。
［Ｃ２２］
前記検出器がエネルギ検出器を備える、Ｃ１９に記載の装置。
［Ｃ２３］
前記リモートウェイクアップ信号が直流（ＤＣ）電圧を備える、Ｃ１９に記載の装置。
［Ｃ２４］
前記検出器が、直流（ＤＣ）電圧を検出するようにさらに構成される、Ｃ２３に記載の装置。
［Ｃ２５］
前記リモートウェイクアップ信号が無線周波数（ＲＦ）制御信号を備える、Ｃ１９に記載の装置。
［Ｃ２６］
前記リモートウェイクアップ信号が中間周波数（ＩＦ）信号を備える、Ｃ１９に記載の装置。
［Ｃ２７］
前記リモートウェイクアップ信号がローカル発振器（ＬＯ）信号を備える、Ｃ１９に記載の装置。
［Ｃ２８］
無線周波数（ＲＦ）制御信号、中間周波数（ＩＦ）信号、またはローカル発振器（ＬＯ）信号から前記リモートウェイクアップ信号を選択するように構成される選択コンポーネントをさらに備える、Ｃ１９に記載の装置。
［Ｃ２９］
前記ＲＦ制御信号がデジタルビットシーケンスを備える、Ｃ２８に記載の装置。
［Ｃ３０］
前記リモートウェイクアップ信号をフィルタするように構成されるフィルタをさらに備える、Ｃ２９に記載の装置。